(57)【要約】【課題】繰り返しの使用により障害が発生することを防止可能な充電台装置を提供することにある。【解決手段】充電台装置１は、第２孔部１０２を有する載置部２５と、外部電流が供給される基板１１０と、固定端部１２２が基板１１０に固定されて基板１１０から電力が供給され、他端側が自由端とされる導電部材１２０と、導電部材１２０を第１の方向へ支持する支持部１３２を有するレバー１３０と、を備え、導電部材１２０は、自由端を第１の方向とは略対向する第２の方向へ付勢する第１弾性部１２３を有し、レバー１３０は、第２孔部１０２から突出可能な被押圧部１３３と、被押圧部１３３の第２の方向への移動に伴い支持部１３２を第１の方向へ移動させる回転可能な軸１３１と、をさらに有し、携帯端末２００が載置部に載置されると、携帯端末２００によって被押圧部１３３が第２の方向へ移動され、支持部１３２が前記第１の方向へ導電部材１３０を第２の方向への付勢に抗して押し上げ、充電端子１２１を携帯端末２００の電源端子２１０に接触させる。【選択図】図１
2011254615.tif 000002
【特許請求の範囲】
【請求項１】
開口を有する載置部と、
外部電流が供給される基板と、
一端側が前記基板に固定されて当該基板から電力が供給され、他端側に充電端子が形成される導電部材と、
当該導電部材を第１の方向へ支持する支持部を有するレバーと、
前記充電端子が前記開口から露出しないように前記第１の方向と反対の第２の方向へ前記導電部材を付勢する第１弾性部と、を備え、
前記レバーは、前記開口から突出可能な被押圧部と、当該被押圧部と前記支持部との間に配される軸と、をさらに有し、
電子機器が載置部に載置された場合、当該電子機器の押圧による前記被押圧部の前記第２の方向への移動により、前記支持部が前記第１弾性部の前記第２の方向への付勢に抗して前記導電部材を前記第１の方向へ押し上げ、前記充電端子を前記開口から露出させて前記電子機器の電源端子に接触させる
ことを特徴とする充電台装置。
【請求項２】
前記導電部材は、前記電子機器が載置部に載置された状態において、前記第１の方向へ前記充電端子を付勢した状態で前記電源端子に当接させる第２弾性部をさらに有することを特徴とする請求項１に記載の充電台装置。
【請求項３】
前記第２弾性部は、前記第１弾性部と前記充電端子との間に配されることを特徴とする請求項２に記載の充電台装置。
【請求項４】
前記第２弾性部は、前記自由端の端部と前記充電端子との間に配され、前記第１弾性部より弾性力が大きいことを特徴とする請求項２に記載の充電台装置。
【請求項５】
前記レバーは、前記電子機器が載置部に載置された状態において、前記第１の方向へ前記支持部を介して前記充電端子を付勢した状態で前記電源端子に当接させる第３弾性部をさらに有することを特徴とする請求項１に記載の充電台装置。
【請求項６】
前記第３弾性部は、前記軸に挿通して、前記被押圧部と前記支持部との間に配されることを特徴とする請求項５に記載の充電台装置。
【請求項７】
前記第３弾性部は、前記第１弾性部より弾性力が大きいことを特徴とする請求項６に記載の充電台装置。
【請求項８】
前記支持部は絶縁体の部材からなることを特徴とする請求項１から７のいずれか一項に記載の充電台装置。
【発明の詳細な説明】
【技術分野】
【０００１】
本発明は、携帯電話機、コードレス電話機、その他の充電電池を電源とする電子機器用の充電台装置に関する。
【背景技術】
【０００２】
従来の電子機器用の充電台装置は、電子機器に電力を供給する際の接点である充電端子が常に外部に露出した状態で構成されていた。そのため、そのような充電台装置では、誤ってユーザの手が接触することによる低温やけど等を発生させる恐れがあった。
【０００３】
そこで、近年の充電台装置は、非充電時には充電端子を充電台内部に隠しておく一方で、充電時には充電端子を外部に露出させることで、非充電時には誤ってユーザが充電端子に接触することを防止できるように構成されている。そのような充電台装置の例として特許文献１，２を挙げる。
【０００４】
特許文献１には、携帯型機器が充電用アダプターに設置されると、被押圧部が内部に押し込められる動作に連動して、被押圧部と一体成形されているアームが持ち上がることにより、ケース内部に隠れていた充電端子を外部に露出させる充電用アダプターが開示されている。
【０００５】
また、特許文献２には、電子機器が充電台装置に挿入されると、操作レバーが回動し、係止部による充電用出力端子部の規制が解除され、充電出力端子部を外部へ露出させる充電台装置が開示されている。
【先行技術文献】
【特許文献】
【０００６】
【特許文献１】特開２００３−１３４６８０号公報
【特許文献２】特開２００３−２５７４９９号公報
【発明の概要】
【発明が解決しようとする課題】
【０００７】
特許文献１及び２において、充電端子は、一体的に備えられたバネにより露出する方向へ付勢されている。よって、そのような充電端子が非充電時には露出しないように、充電端子の露出する方向への移動を規制する規制手段が特許文献１及び２のいずれにおいても開示されている。
【０００８】
ここで、充電端子は、規制手段による規制が解除されると、バネによる付勢により電源端子に圧接する。そのような電源端子への圧接が繰り返されることにより、充電端子及び電源端子の表面に剥離が生じ、充電端子と電源端子との間でショートが発生する等、障害が発生することになる。
【０００９】
従って、本発明の目的は、繰り返しの使用により障害が発生することを防止可能な充電台装置を提供することにある。
【課題を解決するための手段】
【００１０】
上記目的を達成するため、本発明の充電台装置は、開口を有する載置部と、外部電流が供給される基板と、固定端が前記基板に固定されて当該基板から電力が供給され、他端側が自由端とされる導電部材と、当該導電部材を第１の方向へ支持する支持部を有するレバーと、を備え、前記導電部材は、前記自由端を前記第１の方向とは略対向する第２の方向へ付勢する第１弾性部を有し、前記レバーは、前記開口から突出可能な被押圧部と、当該被押圧部の第２の方向への移動に伴い前記支持部を前記第１の方向へ移動させる回転可能な軸と、をさらに有し、電子機器が載置部に載置されると、前記電子機器によって前記被押圧部が前記第２の方向へ移動され、前記支持部が前記第１の方向へ前記導電部材を前記第２の方向への付勢に抗して押し上げ、前記充電端子を前記電子機器の電源端子に接触させる。
【００１１】
また、好適には、前記導電部材は、前記電子機器が載置部に載置された状態において、前記第１の方向へ前記充電端子を付勢した状態で前記電源端子に当接させる第２弾性部をさらに有する
また、好適には、前記第２弾性部は、前記第１弾性部と前記充電端子との間に配される。
【００１２】
また、好適には、前記第２弾性部は、前記自由端の端部と前記充電端子との間に配され、前記第１弾性部より弾性力が大きいことを特徴とする請求項２に記載の充電台装置。
【００１３】
また、好適には、前記レバーは、前記電子機器が載置部に載置された状態において、前記第１の方向へ前記支持部を介して前記充電端子を付勢した状態で前記電源端子に当接させる第３弾性部をさらに有する。
【００１４】
また、好適には、前記第３弾性部は、前記軸に挿通して、前記被押圧部と前記支持部との間に配される。
【００１５】
また、好適には、前記第３弾性部は、前記第１弾性部より弾性力が大きい。
【００１６】
また、好適には、前記支持部は絶縁体の部材からなる。
【発明の効果】
【００１７】
本発明によれば、繰り返しの使用により障害が発生することを防止可能な充電台装置を提供することができる。
【図面の簡単な説明】
【００１８】
【図１】本発明の第１実施形態に係る充電台装置の外観を示す斜視図である。
【図２】本発明の第１実施形態に係る充電台装置の内部を示す斜視図である。
【図３】本発明の第１実施形態に係る充電台装置の内部の動作を示す断面図である。
【図４】本発明の第１実施形態に係る充電台装置における充電端子の摺動を示す図及び電源端子に対する端子荷重の遷移を示す表である。
【図５】本発明の第２実施形態に係る充電台装置の内部を示す断面図である。
【図６】本発明の第３実施形態に係る充電台装置の内部を示す斜視図である。
【図７】本発明の第３実施形態に係る充電台装置の内部の動作を示す断面図である。
【発明を実施するための形態】
【００１９】
以下、本発明の実施形態について図面を用いて説明する。
【００２０】
＜第１実施形態＞
まず、図１から図４に基づいて、第１実施形態について説明する。
【００２１】
図１は、本発明の第１実施形態に係る充電台装置の外観を示す斜視図である。また、図３は、本発明の第１実施形態に係る充電台装置の内部を示す斜視図であり、図４は、同充電台装置の内部の動作を示す断面図である。また、図５は、同充電台装置における充電端子の電源端子との間の摺動を示す図及び端子荷重の遷移を示す表である。
【００２２】
〔第１実施形態の構成〕
まず、本発明の第１実施形態に係る充電台装置１の外側面について図１に基づいて説明する。充電台装置１は、図１に示すように、平面形状が略矩形状の筐体１０を備えている。この筐体１０は、その厚さ方向に互いに着脱自在に接合する上側ケース２０と下側ケース３０とを備えて構成されており、上側ケース２０と下側ケース３０との間には、内部空間が形成されている。なお、その内部空間には充電台本体１００が収納されている。
【００２３】
上側ケース２０は、水平に配置される平板状の載置部２５を有しており、その載置部２５上には、後述する携帯端末２００が載置される。載置部２５上には、その長さ方向における一方の端部側の両隅部のそれぞれに、この両隅部のそれぞれに対応する後述の携帯端末２００の隅部が長さ方向及び幅方向に突き当てられることにより、この後述の携帯端末２００の水平方向の大体の位置決めを行うガイド部２４が、高さを有するよう立設されている。
【００２４】
また、上側ケース２０の載置部２５上には、その長さ方向におけるガイド部２４とは反対側の端部であって幅方向の中央の位置に、ガイド部２１が高さを有するよう立設されている。このガイド部２１は、その高さ中間位置に、ガイド部２１に突設される爪２２を有している。爪２２は、載置部２５上に載置される後述の携帯端末２００の一部に係合するようになっている。
【００２５】
また、上側ケース２０の載置部２５には、長さ方向における略中間の位置に、第１孔部１０１が幅方向に離れて並んで形成されている。第１孔部１０１のそれぞれは、その開口形状が細長い矩形状であって、載置部２５の長さ方向に長さを有している。
【００２６】
また、上側ケース２０の載置部２５には、その長さ方向におけるガイド部２４側の端部であって幅方向の中央位置に、開口形状が矩形状の第２孔部１０２が上方に開口するよう形成されている。この第２孔部１０２は、載置部２５の長さ方向及び幅方向のそれぞれと平行方向に長さと幅を有している。
【００２７】
また、上側ケース２０の側壁２６であって、ガイド部２１側において上側ケース２０の幅方向に伸びる長さ部分の中央位置には、上側ケース２０の幅方向の一定長さ範囲で、この側壁２６の下側ケース３０から載置部２５側に一定深さを有する切り抜き部２３が形成されている。この切抜き部２３は、アダプター等が接続するための端子等を含み、筐体２０内部の基板１１０へ電流を供給する。
【００２８】
次に、本実施形態に係る充電台本体１００の内部を図２に基づいて説明する。基板１１０は、その内部に電気回路や電池等を含み、筐体１０にビスやねじ等によって固定され、導電部材１２０の固定端部１２２と電気的に接続されている。また、基板１１０は、図示しない電力供給のためのコネクタが設けられており、切抜き部２３を介して供給される電流を導電部材１２０に供給する。
【００２９】
導電部材１２０は、充電端子１２１、固定端部１２２、第１屈曲部１２３、ばね１２４からなる金属性等の導電性を有する弾性部材であり、前述の通り、基板１１０から固定端部１２２を介して電力が供給されている。また、導電部材１２０は、基板１１０に接続されている固定端部１２２以外において、弾性的に移動可能な自由端である。また、固定端部１２２の近傍に配置されている第１屈曲部１２３は第１弾性部の一例であり、略円状の形状からなり、導電部材１２０がレバー１３０の支持部１３２と対向するように形成されている。
【００３０】
また、導電部材１２０は、第１屈曲部１２３により、支持部１３２と対向する方向（第１の方向）へ付勢されており、支持部１３２を介してレバー１３０の時計回り方向への回転を規制する。
【００３１】
充電端子１２１は、導電部材１２０の一部からなり、外部に露出する方向へ突出する形で形成されている。また、充電端子１２１は、近接するばね１２４によって、携帯端末２００が充電台装置１に載置された際に、電源端子２１０に対向する方向（第１の方向）へ付勢され、充電するために十分な接点圧で電源端子２１０を押圧する。なお、ばね１２４は、第２弾性部の一例である。
【００３２】
レバー１３０は、軸１３１、支持部１３２、被押圧部１３３からなり、携帯端末２００の非載置時において、被押圧部１３３が露出された状態で維持されている。また、軸１３１は、筐体１０にネジ等によってレバー１３０が回転可能に固定され、支持部１３２と被押圧部１３３との間に配置されている。従って、携帯端末２００の載置時に、被押圧部１３３が携帯端末２００によって押圧されると、レバー１３０が軸１３１を中心として時計回りに回転することを可能とする。
【００３３】
また、支持部１３２を介して導電部材１２０から支持部１３２と対向する方向（第２の方向）へレバー１３０が付勢されているため、非載置時において、被押圧部１３３は、常に第２孔部１０２から露出している。なお、露出した被押圧部１３３は、第２孔部１０２の一部と接触し、反時計回り方向への回転も規制されている。
【００３４】
また、レバー１３０は、携帯端末２００が載置されると、被押圧部１３３が押圧され、軸１３１を中心として時計回りに回転すると共に、支持部１３２を介して導電部材１２０を押し上げ、充電端子１２１を第１孔部１０１から露出させる。
【００３５】
ここで、被押圧部１３３は、ポリエステル等の絶縁体の材料からなり、それによって携帯端末２００の非載置時に、ユーザが被押圧部１３３に接触することによるやけど等の発生を防止することができる。
【００３６】
〔第１実施形態の動作、作用〕
次に、第１実施形態の動作、作用について図３に基づいて説明する。
【００３７】
図３（ａ）に示すように、レバー１３０は、携帯端末２００の載置前においては、被押圧部１３３が露出された状態で固定されている。前述のように、この状態において、支持部１３２を介して第１屈曲部１２３による反時計回り方向への付勢がされているが、第１孔部１０１に被押圧部１３３が接触することで、レバー１３０の反時計回り方向への回転が規制されている。さらに、携帯端末２００が充電台装置１に載置されると、押圧された被押圧部１３３矢印方向へ倒れこみ、レバー１３０が回転することで、導電部材１２０が露出する方向へ持ち上げられる。
【００３８】
次に、図３（ｂ）において、携帯端末２００が載置部２５へ載置される過程で、被押圧部１３３が押圧され、レバー１３０は、軸１３１を中心として矢印方向へ回転する。ここで、レバー１３０の回転に伴い、支持部１３２によって導電部材１２０が、露出する方向へばね１２４ごと押し上げられ、第１孔部１０１から露出する。
【００３９】
次に、図３（ｃ）において、携帯端末２００の載置部２５への載置に伴い、図３（ｂ）よりさらに被押圧部１３３が押圧されると、充電端子１２１が、さらに押し上げられ、電源端子２１０に接触する。その時点において、充電端子１２１は、ばね１２４の撓みによる電源端子と対向する方向へ付勢されておらず、接触圧０の状態で電源端子２１０に接触している。
【００４０】
また、携帯端末２００が電源端子２１０への接触から載置部１０への載置まで、さらに被押圧部１３３が押圧されると、充電端子１２１は、電源端子２１０に対する当接位置が矢印方向へ移動する。その当接位置の移動により、電源端子２１０の長さの範囲内で、電源端子２１０表面に付着したごみ等は、充電端子１２１により除かれる。このような充電端子１２４の当接位置の移動による効果をクリーニング効果という。また、充電端子１２１や電源端子２１０の材質により、充電端子１２１の移動の際に電源端子２１０との間で摩擦が発生する場合等があるが、そのような場合においても本実施形態において、クリーニング効果は期待できる。
【００４１】
また、充電端子１２１は、電源端子２１０の近接に伴い、ばね１２４の撓みの増大により接点圧が上昇する。また、この接点圧は、ばね１２４の撓みの増大に伴って充電端子１２１の当接位置の移動量も増大するため、その移動量に応じて増大する。次に、携帯端末２００が載置部２５に載置されると、充電端子１２１の当接位置の移動が止まると共に、ばね１２４の撓みの増大も止まるため。その時点における充電端子１２１の電源端子２００への接触圧は最大となる。それによって、接触圧が最大の状態で、充電することが可能となり、充電端子１２１の電源端子２１０への十分な接点圧による携帯端末２００の充電を可能とする。
【００４２】
〔図３（ｃ）の動作の詳細〕
上述した図３（ｃ）における充電端子１２１の電源端子２１０の表面に対する移動の様子を図４（ａ）に示す。また、充電端子１２１の接触による電源端子２００にかかる荷重と充電端子１２１の移動距離との関係をグラフにしたものを図４（ｂ）に示す。
【００４３】
まず、図４（ａ）（１）において、電源端子２１０へ接触時の充電端子１２１の位置を表す。この時点では、ばね１２４による充電端子１２１への付勢が生じていない状態なので、電源端子２１０に対する荷重は０Ｎである（図４（ｂ）（１））。
【００４４】
次に、携帯端末２００の載置に伴い、電源端子２１０によって充電端子１２４が厚さ方向へ落とし込まれ、その落とし込まれた分、ばね１２４が撓む。よって、充電端子１２１には、ばね１２４による付勢が発生し、電源端子２００に対して所定の圧力で押圧する。また、ばね１２４の撓みに伴い、充電端子１２１の電源端子２００に対する当接位置が矢印方向へ移動する。従って、充電端子１２１の当接位置の移動に伴い、充電端子１２１が電源端子２００を押圧する圧力が増大する。その関係は図４（ｂ）に示す通りである。
次に、充電端子の当接位置が移動することによって、図４（ａ）（２）の位置に達した充電端子１２１は、電源端子２１０に対して、十分な接触圧で圧接する。つまり、図４（ｂ）に示すように、接触時からの当接位置の移動距離に応じて電源端子２１０に対する端子荷重が増大し、３ｍｍ移動した際には、充電するのに十分な接触圧である０．３Ｎの端子荷重が電源端子２１０に対して付加される。従って、携帯端末２００の充電の際に、接点不良等が発生するおそれはなく、安定した充電をすることが可能である。
【００４５】
＜第２実施形態＞
次に、図５に基づいて、本発明の第２実施形態について説明する。図５は、本発明の第２実施形態に係る充電台装置の内部を示す断面図である
第２実施形態における導電部材１２０は、第１実施形態における導電部材１２０に設けられたばね１２４の代わりとして、導電部材１２０の折り曲げにより形成された第２屈曲部１２５を設けたものである。
【００４６】
第２屈曲部１２５は、充電端子１２１が電源端子２１０からの押圧を受けると、その圧力に応じて、折り曲げ角度が変化する。ここで、第２屈曲部１２５は、第１屈曲部１２３より弾性力が大きく構成されている。よって、導電部材１２０が露出する方向へ付勢された際に、第１屈曲部１２３が撓み、第２屈曲部１２５が撓むことはない。また、第２屈曲部１２５は、第１屈曲部１２３を除く導電部材１２０より弾性力が小さく構成されている。よって、露出された充電端子１２１が電源端子２１０から押圧を受けて沈下する際に、第２屈曲部１２５が撓み、導電部材１２０が撓むことはない。従って、第１屈曲部１２３を除く導電部材１２０は、充電を繰り返しても撓みや撓みによる変形が生じるおそれがなく、繰り返しの充電による障害の発生を防止可能である。なお、第２屈曲部１２５は、導電部材１２０の折り曲げに代えて、同等の弾性力を有するばね等によって構成されていてもよい。
【００４７】
また、レバー１３０は、被押圧部１３３と支持部１３２とをなす角が第２屈曲部１２５の角度に合わせて構成され、第２屈曲部１２５による導電部材１２０への付勢により、支持部１３２を介して時計回り方向への回転が規制されている。なお、第１実施例と同様に、レバー１３０は、反時計回り方向への回転が第２孔部１０２により規制されている。
【００４８】
携帯端末２００の載置前は図５（ａ）に示すように、レバー１３０は、第１実施例と同様で、第１屈曲部１２３により付勢された導電部材１２０により支持部１３１を付勢押圧することにより時計回り方向への回転が規制されている。また、被押圧部１３３の第２孔部１０２の縁への当接により反時計回り方向への回転も規制されている。
【００４９】
次に、図５（ｂ）において、レバー１３０は、携帯端末２００が充電台装置１００へ載置されると、被押圧部１３３が押圧されることで、矢印方向へ回転し、支持部１３２を介して充電端子１２１を押し上げ、第１孔部１０１より露出させる。
【００５０】
次に、図５（ｃ）において、図５（ｂ）よりさらに被押圧部１３３が押圧されると、レバー１３０が矢印方向へ回転すると共に、支持部１３３によって押し上げられた充電端子１２１は、まず電源端子２１０に接触する。また、被押圧部１３３がさらに押圧されると、充電端子１２１は、ばね１２４が撓むことで、上方向への付勢力がたくわえられる。よって、第２屈曲部１２５が折り曲がることにより付勢された充電端子１２１は、携帯端末２００が載置部２５に載置されると、充電に十分な接点圧で電源端子２１０へ圧接する。
【００５１】
なお、充電端子１２１の電源端子２１０に対する当接位置の移動とそれに伴う端子荷重の変化は前述の第１実施形態における図３（ｂ）と同様である。
【００５２】
＜第３実施形態＞
次に、図６から図７に基づいて、本発明の第３実施形態について説明する。図６は、本発明の第３実施形態に係る充電台装置の内部を示す斜視図であり、図７は、本発明の第３実施形態に係る充電台装置の内部の動作を示す断面図である。
【００５３】
〔第３実施形態の構成〕
まず、第３実施形態について、図６に基づいて説明する。
【００５４】
図６に示すように、第３実施形態の充電台本体１００におけるレバー１３０は、被押圧部１３３と支持部１３２との間にばね１３４が配されている。このばね１３４は、第３弾性部の一例であって、軸１３１に挿通して軸支されている。
【００５５】
また、レバー１３０は、電源端子２１０により押圧された充電端子１２１により支持部１３２が下方向へ付勢されると、ばね１３４により支持部１３２側が折れ曲がったくの字状になる。ここで、第１屈曲部１２３、導電部材１２０、ばね１３４の各弾性力は、導電部材１２０、ばね１３４、第１屈曲部１２３の順の大きさで構成されている。そのため、支持部１３２が導電部材１２０を持ち上げる際に、第１屈曲部１２３の弾性力がばね１３４の弾性力より小さいため、第１屈曲部が撓む。また、電源端子２１０による押圧を充電端子１２１が受けると、ばね１３４の弾性力が導電部材１２０の弾性力より小さいため、ばね１３４が撓む。従って、第１屈曲部１２３以外の導電部材１２０は、充電を繰り返しても撓みや撓みによる変形が生じるおそれがなく、繰り返しの充電による障害の発生を防止可能である。
【００５６】
また、上記の構成により、レバー１３０は、携帯端末２００が載置部２５に載置されると、被押圧部１３３が押圧されることで、軸１３４を中心として時計回り方向へ回転しても、ばね１３４が撓まず、充電端子１２１を露出する方向へ押し上げる。
【００５７】
〔第３実施形態の動作、作用〕
次に、第３実施形態の動作及び作用について図７に基づいて説明する。
【００５８】
図７（ａ）において、レバー１３０は、第１屈曲部１２３による付勢が支持部１３２を介して受けるため、時計回り方向への回転が規制される。また、レバー１３０は、第２孔部１０２の一端に被押圧部１３３が接触することで、反時計回りの方向への移動も規制される。従って、非充電時においては、被押圧部１３３が第２孔部１０２より露出した状態で、充電端子１２１は、露出せずに、充電台本体１００内部に収納されている。
【００５９】
図７（ｂ）において、携帯端末２００（図示しない）が載置されると、レバー１３０は、被押圧部１３３が押圧されることに伴い、軸１３１を中心として回転し、支持部１２４により、導電部材１２０を持ち上げ、第１孔部１０１から充電端子１２１を露出させる。
【００６０】
さらに、図示しない携帯端末２００の載置に伴う被押圧部１３３の押圧により、充電端子１２１は、電源端子２１０への当接位置が移動する。また、当接位置の移動に伴い、ばね１３４による付勢を受けた充電端子１２１は、電源端子２１０へ圧接する。ここで、充電端子１２１に対する付勢は、軸１３１を中心としてばね１３４が折れ曲がることにより支持部１３２を介して発生する。充電端子１２１の当接位置の移動量に伴い、ばね１３４の付勢が増大し、充電端子１２４による電源端子２１０への端子荷重が増大する。
【００６１】
なお、充電端子１２１の当接位置の移動と電源端子２１０に対する端子荷重の変化は第１実施例における図３及びその説明と同様である。
【００６２】
以上、本発明の実施形態によれば、携帯端末２００が充電台本体に載置された際に、被押圧部１３３が押圧されることにより軸１３１を中心として、レバー１３０が回転するのに伴い、支持部１３２が充電端子１２１を露出させることで電源端子２１０に摺動させることで、充電端子が、接触時にはより小さい接触圧で、載置時には十分な接触圧を電源端子に対して与えることができる。つまり、電源端子に対して最低限、必要なクリーニング効果を損なうことなく、充電端子及び電源端子の磨耗を防止することができる。
【００６３】
なお、本実施形態においては、携帯端末における充電台装置を例として説明したが、本発明は、上記の実施形態に限られるものではなく、例えば、カメラ等の充電可能なバッテリを含む電子機器における充電台装置も含まれるものである。
【００６４】
また、本実施形態におけるばねは、これに限定されるものではなく、つるまきばね、スプリング、トーションばね等に置き換えても適用可能である。
【符号の説明】
【００６５】
１  充電台装置
１０  筐体
２５  載置部
１０２  第２孔部（開口）
１１０  基板
１２０  導電部材
１２１  充電端子
１２２  固定端部（固定端）
１２３  第１屈曲部（第１弾性部）
１２４  ばね（第２弾性部）
１２５  第２屈曲部（第２弾性部）
１３０  レバー
１３１  軸
１３２  支持部
１３３  被押圧部
１３４  ばね（第３弾性部）
２００  携帯端末（電子機器）
２１０  電源端子
【図１】
2011254615.tif 000003
【図２】
2011254615.tif 000004
【図３】
2011254615.tif 000005
【図４】
2011254615.tif 000006
【図５】
2011254615.tif 000007
【図６】
2011254615.tif 000008
【図７】
2011254615.tif 000009